(57)【要約】【課題】狭いベゼル幅を実現可能なバックライト装置およびこれを用いた表示装置表示装置を提供する。【解決手段】実施形態によれば、光学制御部と、光源と、第１および第２の導光部と、第１の部材と、を備えるバックライト装置が提供される。前記光源は、前記光学制御部と対向して配置される。前記第１および第２の光源は、前記光源から照射される光を前記光学制御部へ導く。前記第１の部材は、前記光源から照射される光の進行方向であって、前記第１の導光部と前記第２の導光部が接合される接合部近傍へ配置される。【選択図】図３
2014022187.tif 000002
【特許請求の範囲】
【請求項１】
光学制御部と、
前記光学制御部と対向して配置される光源と、
前記光源から照射される光を前記光学制御部へ導く第１および第２の導光部と、
前記光源から照射される光の進行方向であって、前記第１の導光部と前記第２の導光部が接合される接合部近傍へ配置される第１の部材と、を備えるバックライト装置。
【請求項２】
前記第１の導光部は、光入射面から入射される光を前記光学制御部に沿ってその第１の縁側へ屈折させる湾曲した形状であり、
前記第２の導光部は、光入射面から入射される光を前記光学制御部に沿って、前記第１の縁と対向する第２の縁側へ屈折させる湾曲した形状である、請求項１に記載のバックライト装置。
【請求項３】
前記光源は、前記第１の縁と略平行な方向に配置される複数の光源を含む、請求項１または２に記載のバックライト装置。
【請求項４】
前記複数の光源は、前記光学制御部の中央に近い領域には、前記中央から離れた領域より密に配置される、請求項３に記載のバックライト装置。
【請求項５】
前記複数の光源のうち、前記光学制御部の中央に近い領域に配置される光源は、前記中央から離れた領域に配置される光源より高光出力である、請求項３に記載のバックライト装置。
【請求項６】
前記複数の光源は、前記第１の縁と略平行な方向に一列に配置され、
前記複数の光源から照射される光は、前記第１の導光部と前記第２の導光部に、略均等に入射される、請求項３に記載のバックライト装置。
【請求項７】
前記複数の光源の一部は、前記第１の導光部の光入射面と対向して、前記第１の縁と略平行な方向に一列に配置され
前記複数の光源の他の一部は、前記第２の導光部の光入射面と対向して、前記第１の縁と略平行な方向に一列に配置され、
前記第１の導光部の光入射面に対向する光源は、前記第２の導光部の光入射面に対向する光源に対して、千鳥格子状に配置される、請求項３に記載のバックライト装置。
【請求項８】
前記第１の導光部の光入射面は、前記第１の縁と近いほど前記光学制御部から離れる方向へ傾斜し、
前記第２の導光部の光入射面は、前記第２の縁と近いほど前記光学制御部から離れる方向へ傾斜する、請求項２に記載のバックライト装置。
【請求項９】
前記第１の部材は、前記光源から照射された光が、前記第１の導光部および前記第２の導光部を介さずに前記光学制御部に到達することを低減する、請求項１に記載のバックライト装置。
【請求項１０】
前記第１の導光部および前記第２の導光部の一部には、光を散乱させる散乱部が形成され、
前記第１の部材の表面は、前記散乱部と同色である、請求項１に記載のバックライト装置。
【請求項１１】
前記光源は、前記光学制御部の中央を含む領域と対向して配置される、請求項１に記載のバックライト装置。
【請求項１２】
表示パネルと、
前記表示パネルに光を照射する請求項１に記載のバックライト装置と、を有する表示装置。
【請求項１３】
放送波を受信してチューニングするチューナを有し、
前記表示パネルは、前記チューニングされた放送波を表示する請求項１２に記載の表示装置。
【請求項１４】
光学制御部と、
前記光学制御部と対向して配置される複数の第１の光源と、
前記複数の第１の光源から照射される光を前記光学制御部へ導く第１の導光部と、
前記光学制御部と対向して配置される複数の第２の光源と、
前記複数の第２の光源から照射される光を前記光学制御部へ導く第２の導光部と、を備え、
前記複数の第１の光源および前記複数の第２の光源は、前記光学制御部の中央に近い領域には、前記中央から離れた領域より密に配置される、バックライト装置。
【請求項１５】
前記第１の導光部は、光入射面から入射される光を前記光学制御部に沿ってその第１の縁側へ屈折させる湾曲した形状であり、
前記第２の導光部は、光入射面から入射される光を前記光学制御部に沿って、前記第１の縁と対向する第２の縁側へ屈折させる湾曲した形状である、請求項１４に記載のバックライト装置。
【請求項１６】
前記第１の導光部の光入射面は、前記第１の縁と近いほど前記光学制御部から離れる方向へ傾斜し、
前記第２の導光部の光入射面は、前記第２の縁と近いほど前記光学制御部から離れる方向へ傾斜する、請求項１５に記載のバックライト装置。
【請求項１７】
前記複数の第１の光源および前記複数の第２の光源は、前記光学制御部の中央を含む領域と対向して配置される、請求項１４に記載のバックライト装置。
【請求項１８】
表示パネルと、
前記表示パネルに光を照射する請求項１４に記載のバックライト装置と、を有する表示装置。
【請求項１９】
放送波を受信してチューニングするチューナを有し、
前記表示パネルは、前記チューニングされた放送波を表示する請求項１８に記載の表示装置。
【発明の詳細な説明】
【技術分野】
【０００１】
本発明の実施形態は、表示装置およびバックライト装置に関する。
【背景技術】
【０００２】
近年、液晶表示装置（Liquid Crystal Display：ＬＣＤ）が広く用いられるようになってきている。ＬＣＤは、一対のガラス基板の間に液晶材料を配置して構成される液晶パネルと、液晶パネルの背面から液晶パネルに光を照射するバックライト装置とを備えている。バックライト装置の１つにエッジ型と呼ばれるものがある。
【０００３】
エッジ型のバックライト装置は、ＬＥＤ（Light Emitting Diode）等の光源から、液晶パネルの背面に配置された導光板の側面に向けて光を照射し、広く拡散させた光を、導光板の液晶パネルと対向する面から取り出すものである。この方式によると、バックライト装置を薄くできるが、光源を配置するためにベゼル幅を広くする必要がある、という問題がある。ベゼル幅が広いと、表示領域が小さく見えてしまうことがある。
【先行技術文献】
【特許文献】
【０００４】
【特許文献１】特開２００７−２００８８５号公報
【発明の概要】
【発明が解決しようとする課題】
【０００５】
狭いベゼル幅を実現可能なバックライト装置およびこれを用いた表示装置を提供する。
【課題を解決するための手段】
【０００６】
実施形態によれば、光学制御部と、光源と、第１および第２の導光部と、第１の部材と、を備えるバックライト装置が提供される。前記光源は、前記光学制御部と対向して配置される。前記第１および第２の光源は、前記光源から照射される光を前記光学制御部へ導く。前記第１の部材は、前記光源から照射される光の進行方向であって、前記第１の導光部と前記第２の導光部が接合される接合部近傍へ配置される。
【図面の簡単な説明】
【０００７】
【図１】画像表示装置１１０を含む画像表示システムの概略ブロック図。
【図２】表示モジュール２００の概略ブロック図。
【図３】液晶パネル１およびバックライト装置６の斜視図。
【図４】図３を分解して描いた図。
【図５】液晶パネル１およびバックライト装置６の正面図。
【図６】光学シート（光学制御部）１６の構成の一例を示す断面図。
【図７】ＬＥＤ１１２から照射された光のレイパスを説明する図。
【図８】液晶パネル１に照射される光の強度を示す図。
【図９】バックライトスキャンを行う様子を示す図。
【図１０】バックライトスキャンを行う様子を示す図。
【図１１】ＬＥＤバー１１におけるＬＥＤ１１２の配置例を示す図。
【図１２】図５の変形例であるバックライト装置の正面図。
【図１３】導光板の変形例を示す図。
【図１４】ＬＥＤバー１１におけるＬＥＤ１１２の配置例を示す図。
【図１５】ＬＥＤバー１１におけるＬＥＤ１１２の配置例を示す図。
【図１６】図５の変形例であるバックライト装置の正面図。
【発明を実施するための形態】
【０００８】
以下、実施形態について、図面を参照しながら具体的に説明する。
【０００９】
図１は、一実施形態に係る画像表示装置１１０を含む画像表示システムの概略ブロック図である。
【００１０】
画像表示装置１１０は、各部の動作を制御する制御部１５６と、操作部１１６と、受光部１１８とを備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１１】
制御部１５６は、操作部１１６から入力される操作信号や、リモートコントローラ１１７から送信され受光部１１８を介して入力される操作信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１２】
また、画像表示装置１１０は、入力端子１４４と、チューナ１４５と、ＰＳＫ（Phase Shift Keying）復調器１４６と、ＴＳ（Transport Stream）復号器１４７ａと、信号処理部１２０とを備えている。
【００１３】
入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１４】
ここでのデジタル映像信号とは、画像表示装置１１０が出力可能な映像に関するデジタル信号であり、デジタル音声信号とは、画像表示装置１１０が出力可能な音声に関するデジタル信号である。またデータ信号とは、復調されたサービスについての各種情報を示すデジタル信号である。
【００１５】
また、画像表示装置１１０は、入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００１６】
入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００１７】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、画像表示装置１１０は、一例として、アンテナ１４８が接続される入力端子１４９にＣＡＴＶ（Common Antenna Television）用のチューナを接続することによってＣＡＴＶも視聴できる。
【００１８】
また、画像表示装置１１０は、ライン入力端子１３７と、音声処理部１５３と、スピーカ１１５と、グラフィック処理部１５２と、ＯＳＤ（On Screen Display）信号生成部１５４と、映像処理部１５５と、と、表示モジュール２００とを備えている。
【００１９】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、ライン入力端子１３７からの入力信号にも所定のデジタル信号処理を施す。
【００２０】
音声処理部１５３は、入力された音声信号を、スピーカ１１５で再生可能なフォーマットのアナログ音声信号に変換する。アナログ音声信号は、スピーカ１１５に送信されて再生される。
【００２１】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２２】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２３】
映像処理部１５５は、グラフィック処理部１５２から送信された信号を、表示モジュール２００で表示可能なフォーマットのアナログ映像信号に変換する。アナログ映像信号は、表示モジュール２００に送信されて表示される。表示モジュール２００の詳細は図２を用いて後述する。
【００２４】
さらに、画像表示装置１１０は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００２５】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００２６】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２７】
ＨＤＤ１７０は画像表示装置１１０に内蔵される磁気記憶媒体であって、画像表示装置１１０が有する各種情報を記憶する機能を有する。
【００２８】
図２は、表示モジュール２００の概略ブロック図である。表示モジュール２００は、液晶パネル（表示パネル）１と、タイミングコントローラ２と、ゲートドライバ３と、ソースドライバ４と、バックライトコントローラ５と、バックライト装置６とを備えている。
【００２９】
液晶パネル１は、一対のガラス基板を対向配置して、これらガラス基板の間に液晶材料を配置した構造である。液晶パネル１は、複数（例えば１０８０本）の走査線と、複数（例えば１９２０＊３本）の信号線と、走査線および信号線の各交差箇所に形成される液晶画素とを有する。
【００３０】
タイミングコントローラ２は、図１の映像処理部から入力される入力映像信号をソースドライバ４に供給するとともに、ゲートドライバ３、ソースドライバ４およびバックライトコントローラ５の動作タイミングを制御する。
【００３１】
ゲートドライバ３は走査線の１つを順繰りに選択する。ソースドライバ４は入力映像信号を液晶パネル１の信号線に供給する。この入力映像信号はゲートドライバ３に選択された走査線に接続される液晶画素に供給され、入力映像信号の電圧に応じて、液晶画素内の液晶材料の配向が変化する。ゲートドライバ３およびソースドライバ４はパネルコントローラを構成する。
【００３２】
一方、バックライト装置６は液晶パネル１の背面に設けられ、液晶パネル１に光を照射する。照射された光のうち、液晶材料の配向に応じた強度の光が液晶材料を透過して、液晶パネル１上に表示される。
【００３３】
図３は、液晶パネル１およびバックライト装置６の斜視図であり、図４は、図３を分解して描いた図であり、図５は、液晶パネル１およびバックライト装置６の正面図である。以下では便宜上、バックライト装置６から液晶パネル１へ向かう方向を上という。また、液晶パネル１の長手方向に沿う方向を水平方向、短手方向に沿う方向を垂直方向と定義する。さらに、図４のスポットを付した領域、すなわち液晶パネル１の表示面上の領域であって、その中心を含み、水平方向に所定の幅を持って垂直方向に延びる領域を液晶パネル１の中央領域と呼ぶ。
【００３４】
バックライト装置６は、ＬＥＤバー１１と、導光板（第１の導光部１２ａ，第２の導光部１２ｂ）と、フォルダ１３と、フレーム１４と、遮光パッキング（第１の部材）１５と、光学シート（光学制御部）１６とを有する。まずは各部材の構造について説明する。
【００３５】
ＬＥＤバー１１は、光学シート（光学制御部）１６と対向する基板１１１上に複数のＬＥＤ（光源）１１２を配置したものである。より具体的には、基板１１１は液晶パネル１の中央領域の下方に対向する。基板１１１の形状は、例えば長方形であり、その中心線は液晶パネル１の垂直方向の中心線の直下に位置する。そして、複数のＬＥＤ１１２が基板１１１の中心線上に、所定の間隔を隔てて一列に設けられる。ＬＥＤ１１２のそれぞれは、例えば白色の光を上方に照射する。照射された光の多くは導光板（第１の導光部１２ａ，第２の導光部１２ｂ）に入射されるが、導光板（第１の導光部１２ａ，第２の導光部１２ｂ）の間から液晶パネル１方向へ漏れる光もある。
【００３６】
ＬＥＤ１１２を液晶パネル１の側方ではなく下方に設けることで、画像表示装置１１０のベゼルを狭くすることができる。また、２つの導光板（第１の導光部１２ａ，第２の導光部１２ｂ）に合わせて２列にＬＥＤ１１２を配置するのではなく、導光板（第１の導光部１２ａ，第２の導光部１２ｂ）の中央に１列に配置するため、ＬＥＤ１１２の数を減らすことができる。
【００３７】
導光板（第１の導光部１２ａ，第２の導光部１２ｂ）は、例えばアクリル等の透明な樹脂製であり、射出成型で製造される。導光板（第１の導光部１２ａ，第２の導光部１２ｂ）は同様の構造であるため、以下導光板１２ａについて説明する。図５に示すように、導光板１２ａは、光入射面１２１ａ、導光路１２２ａおよび光出射面１２３ａから成る。光入射面１２１ａの一部がＬＥＤ１１２と対向しており、ＬＥＤ１１２から照射された光の一部が入射される。導光路１２２ａは、中心角が約９０度の円弧に近似した断面形状の湾曲部（ライトパイプ）１２４ａと、平坦部１２５ａとが一体に形成されたものである。湾曲部１２４ａの一端の面が光入射面１２１ａであり、他端の面が平坦部１２５ａと共有される。
【００３８】
導光路１２２ａの上面が光出射面１２３ａである。また、導光路１２２ａの下面の一部には散乱マーク（散乱部）１２６ａが形成されている。一例として、湾曲部１２４ａにはパッド印刷により、平坦部１２５ａにはシルク印刷により、白色の散乱マーク１２６ａが形成される。あるいは、散乱マーク１２６ａに代えて、導光板１２ａの成型時に凹凸パターン（シボパターン）を形成して光を拡散させてもよい。
【００３９】
フォルダ１３は、導光板（第１の導光部１２ａ，第２の導光部１２ｂ）の湾曲部１２４ａ，１２４ｂを挟んで固定する。より具体的には、フォルダ１３は、導光板１２ａの光入射面１２１ａと導光板１２ｂの光入射面１２１ｂとの間にできるだけ隙間が生じないよう、かつ、両者の接合部１２７がＬＥＤバー１１の中心線の、この図では、上方に位置するよう、導光板（第１の導光部１２ａ，第２の導光部１２ｂ）を固定する。
【００４０】
このように固定することで、ＬＥＤ１１２から照射される光が導光板１２ａおよび導光板１２ｂに均等になるように、入射される。高精度に光入射面１２１ａ，１２１ｂの位置を調整する必要があるため、フォルダ１３により導光板（第１の導光部１２ａ，第２の導光部１２ｂ）の湾曲部１２４ａ，１２４ｂを強固に固定する。一方、平坦部１２５ａ，１２５ｂを溝やピンを用いて緩やかに画像表示装置１１０のバックパネル（不図示）と緩やかに支持することで、導光板（第１の導光部１２ａ，第２の導光部１２ｂ）の熱膨張を平坦部１２５ａ，１２５ｂ側で吸収できる。
【００４１】
ＬＥＤバー１１およびフォルダ１３はフレーム１４上に設置される。すなわち、フレーム１４の中央にＬＥＤバー１１が配置され、その両端に導光板（第１の導光部１２ａ，第２の導光部１２ｂ）の湾曲部１２４ａ，１２４ｂを挟むフォルダ１３が配置される。フレーム１４は放熱のためにバックパネルに固定されてもよい。
【００４２】
遮光パッキング（第１の部材）１５は、例えばゴム製で直径１ｍｍ以下の円筒形の遮光部材である。そして、遮光パッキング（第１の部材）１５は、導光板１２ａの湾曲部１２４ａと導光板１２ｂの湾曲部１２４ｂとの間、言い換えると、入射面１２１ａと入射面１２１ｂとの接合部１２７と光学シート（光学制御部）１６との間に配置され、入射面１２１ａと入射面１２１ｂとの接合部１２７の間に生じる隙間を埋めるように構成される。
【００４３】
すなわち、遮光パッキング（第１の部材）１５は、図に示すように、光源から照射される光の進行方向であって、導光板（第１の導光部１２ａ，第２の導光部１２ｂ）が接合される接合部近傍へ配置される。
【００４４】
そして、遮光パッキング（第１の部材）１５は、ＬＥＤ１１２から照射された光が、導光板（第１の導光部１２ａ，第２の導光部１２ｂ）を介さずに、導光板１２ａの入射面１２１ａと導光板１２ｂの入射面１２１ｂとの間から漏れて液晶パネル１に到達するのを抑制する。
【００４５】
なお、遮光パッキング（第１の部材）１５は輪ゴム形状であってもよい。この場合、輪にバックライト装置１を通し、湾曲部１２４ａ，１２４ｂ間の隙間とフレーム１４の下方とを挟み込んでもよい。あるいは、湾曲部１２４ａ，１２４ｂ間の隙間が極めて狭い場合は、光学的なコーキング材を充填して遮光部としてもよい。
【００４６】
ここで、この実施形態に係る光学シート（光学制御部）１６の説明をする。
【００４７】
光学シート（光学制御部）１６は、ＯＣＰ（Optical Control Plate：ＯＣＰ）とも呼ばれ、導光板（第１の導光部１２ａ，第２の導光部１２ｂ）と液晶パネル１との間に配置される。図６は、光学シート（光学制御部）１６の構成の一例を示す断面図である。
【００４８】
ここでは、光学シート（光学制御部）１６は、液晶パネル１側から順に、拡散シート１６１と、水平プリズムシート１６２と、垂直プリズムシート１６３と、輝度制御シート１６４とを含む。輝度制御シート１６４の中央付近には、白色で反射率が高いインクをシルク印刷することにより、反射パターン１６５が形成されている。反射パターン１６５を形成することで、液晶パネル１に到達する光の強度を制御でき、液晶パネル１上に輝度ムラが生じるのを低減することができる。
【００４９】
なお、この実施形態においては、例えば、輝度制御シート１６４を省略して拡散シート１６１に反射パターン１６５を印刷し、コストダウンを図るように構成してもよい。
【００５０】
なお、図３等には図示していないが、導光板（第１の導光部１２ａ，第２の導光部１２ｂ）とバックパネルとの間に反射シートを配置してもよい。これにより、導光板（第１の導光部１２ａ，第２の導光部１２ｂ）からバックパネル側に漏れる光が再度導光板（第１の導光部１２ａ，第２の導光部１２ｂ）へ反射するようになり、光の利用効率を向上できる。
【００５１】
続いて、バックライト装置６のレイパスについて説明する。図７は、ＬＥＤ１１２から照射された光のレイパスを説明する図である。
【００５２】
ＬＥＤ１１２から照射された光は、導光板（第１の導光部１２ａ，第２の導光部１２ｂ）の入射面１２１ａ，１２１ｂへほぼ均等に入射される。そして、光は、導光路１２ａを介して光学シート（光学制御部）１６（および液晶パネル１）の中央領域下方から右側の縁（１６ａ）へ水平方向に広がるとともに、導光路１２ｂを介して光学シート（光学制御部）１６（および液晶パネル１）の中央領域下方から左側の縁（１６ｂ）へ水平方向に広がる。
【００５３】
導光板（第１の導光部１２ａ，第２の導光部１２ｂ）に入射した光の一部は、湾曲部１２４ａ，１２４ｂに設けられた散乱マーク１２６ａ，１２６ｂで散乱されて、湾曲部１２４ａ，１２４ｂにおける出射面１２３ａ，１２３ｂから出射する。
【００５４】
ここで出射した光は、この図の湾曲部１２４ａ，１２４ｂおよび遮光パッキング（第１の部材）１５の上方、すなわち、光学シート（光学制御部）１６および液晶パネル１の中央領域近辺を照射する。
【００５５】
なお、湾曲部１２４ａ，１２４ｂから出射される光は均一でないこともあるが、光学シート（光学制御部）１６に含まれる輝度制御シート１６４により輝度ムラを低減させることができる。
【００５６】
また、導光板（第１の導光部１２ａ，第２の導光部１２ｂ）に入射した光の他の一部は、湾曲部１２４ａ，１２４ｂにより液晶パネル１に沿ってその左右の縁側へ屈折され、平坦部１２５ａ，１２５ｂへそれぞれ入る。
【００５７】
そして、平坦部１２５ａ，１２５ｂにおける散乱マーク１２６ａ，１２６ｂで散乱されて、平坦部１２５ａ，１２５ｂにおける出射面１２３ａ，１２３ｂから出射する。出射した光は平坦部１２５ａ，１２５ｂの上方、すなわち、光学シート（光学制御部）１６および液晶パネル１の短辺方向の縁１６ａ，１６ｂに近い側をそれぞれ照射する。
【００５８】
また、例えば、散乱マーク１２６ａ，１２６ｂの大きさや密度を調整することで、液晶パネル１に到達する光の強度を制御できる。例えば、液晶パネル１全体を均一になるよう制御したり、中央領域の輝度が高く、周辺部に向かって、緩やかに輝度が低くなるよう制御したりすることができる。
【００５９】
ここで、導光板（第１の導光部１２ａ，第２の導光部１２ｂ）は、入射面１２１ａと入射面１２１ｂとの間にできるだけ隙間が生じないよう、フォルダ１３により固定されるように構成している。しかしながら、製造時や運搬時に微小な隙間が生じてしまうことが想定される。
【００６０】
このような微小な隙間であっても、例えば、隙間の直下にはＬＥＤ１１２が配置されているため、ＬＥＤ１１２から照射された光が隙間から漏れてしまうことがある。
【００６１】
例えば、図８（ａ）に示すように、遮光パッキング（第１の部材）１５を設けない場合は、光が液晶パネル１に直接到達し、液晶パネル１に、例えば、直線状の輝線が生じてしまう恐れがある。
【００６２】
この場合、輝線は、幅が狭くても輝度ピークが高いため、人間の目にはっきりと認知されてしまう恐れがある。また、この輝線は輝度制御シート１６４で低減させることも容易ではない。
【００６３】
そこで、本実施形態では、例えば、光源から照射される光の進行方向であって、上記第１の導光部と第２の導光部が接合される接合部近傍へ遮光パッキング（第１の部材）１５を設けることで、輝線の抑制を図ることが可能になる。
【００６４】
すなわち、ＬＥＤ１１２から照射されて入射面１２１ａと入射面１２１ｂとの隙間を抜けた光は、例えば、遮光パッキング（第１の部材）１５に到達し、そこで反射される。
【００６５】
そのため、図８（ｂ）に示すように、ＬＥＤ１１２から照射された光が液晶パネル１に直接到達するのを防ぐことができる。
【００６６】
なお、例えば、遮光パッキング（第１の部材）１５の径が十分に小さければ、光学系への影響は軽微であり、液晶パネル１上に陰影が生じることは少ない。
【００６７】
遮光パッキング（第１の部材）１５で反射された光の一部は、導光板（第１の導光部１２ａ，第２の導光部１２ｂ）へ向かい、導光路１２２ａ，１２２ｂを通って光出射面１２３ａ，１２３ｂから液晶パネル１へ出射する。
【００６８】
そのため、遮光パッキング（第１の部材）１５で反射されて液晶パネル１に到達する光の色と、遮光パッキング（第１の部材）１５に反射されずに液晶パネル１に到達する光の色とのズレが生じるのを防ぐためには、例えば、遮光パッキング（第１の部材）１５の表面を散乱マーク印刷で使用するインクと同じ白色で塗装しておくのが望ましい。
【００６９】
なお、導光板（第１の導光部１２ａ，第２の導光部１２ｂ）を１つの部材として成型し、ＬＥＤ１１２からの光が液晶パネル１に漏れることがない場合は、遮光パッキング（第１の部材）１５を設けなくてもよい。
【００７０】
本実施形態のバックライト装置６を用いると、効率よくバックライトスキャンを行うこともできる。バックライトスキャンとは、液晶パネル１の表示画像を切り換えている領域にはバックライトから光を照射しないようにする制御である。バックライトスキャンにより残像が低減し、高画質化が図れる。
【００７１】
図９および図１０は、バックライトスキャンを行う様子を示す図である。図２のゲートドライバ３が液晶パネル１の上部のラインを選択して書き換えている間、バックライトコントローラ５は最上部のＬＥＤ１１２をオフし、他のＬＥＤ１１２に光を照射させる（図９（ａ））。
【００７２】
続いて、ゲートドライバ３が液晶パネル１のやや下部のラインを選択して書き換えている間、バックライトコントローラ５は上から２つ目のＬＥＤ１１２をオフし、他のＬＥＤ１１２に光を照射させる（図９（ｂ））。
【００７３】
以上のように、バックライトコントローラ５により順繰りに光を照射させるＬＥＤ１１２を切り換えることで（図９（ａ）〜（ｄ））、バックライトスキャンができる。
【００７４】
なお、光を照射させるＬＥＤ１１２を１つずつ切り換えてもよいし、例えば４個を単位として切り換えてもよい。
【００７５】
仮に、ＬＥＤを液晶パネルの水平方向の縁に沿って上側（または下側）に配置すると、水平方向のバックライトスキャンはできない。また、ＬＥＤを液晶パネルの垂直方向の縁に沿って左側（または右側）のみに配置すると、液晶パネルの長手方向に光を伝播させることとなり、導光板内での損失が大きくなる。結果として、ＬＥＤの数を増やさなければならず、コスト上昇につながる。
【００７６】
これに対し、本実施形態では、図１０に示すように、複数のＬＥＤ１１２が垂直方向に沿って配置される。よって、簡易にバックライトスキャンを行うことができる。しかも、ＬＥＤ１１２は液晶パネル１の中央領域に対向して配置される。中心から液晶パネル１の左右に光を伝播させるため、光の伝播距離が短くなり、損失を小さくできる。
【００７７】
このように、本実施形態では、ＬＥＤ１１２を液晶パネル１の背面ではなく下方に配置するため、バックライト装置６のベゼル幅を狭くできる。また、導光板（第１の導光部１２ａ，第２の導光部１２ｂ）の入射面１２１ａ，１２１ｂの中心に１列分のＬＥＤ１１２を配置するため、必要なＬＥＤ１１２の数を少なくできる。また、導光路１２２ａ，１２２ｂの間に遮光パッキング（第１の部材）１５を配置する。よって、ＬＥＤ１１２から照射された光が導光板（第１の導光部１２ａ，第２の導光部１２ｂ）を介することなく液晶パネル１に到達するのを抑制できる。結果として、液晶パネル１に輝度ムラが生じるのを低減させることができる。
【００７８】
以下、いくつかの変形例について説明する。
【００７９】
遮光パッキングは円筒形のものではなく、三角柱形や四角柱形であってもよい。
【００８０】
また、必ずしも、ＬＥＤ１１２を基板１１１上に一列に配置しなくてもよい。
【００８１】
図１１は、ＬＥＤバー１１におけるＬＥＤ１１２の配置例を示す図である。同図（ａ）は上述の実施形態で説明した、ＬＥＤ１１２が一列に配置される例である。この場合、各ＬＥＤ１１２の中心線の直上に、導光板（第１の導光部１２ａ，第２の導光部１２ｂ）の入射面１２１ａ，１２１ｂの接合部が位置するようにＬＥＤ１１２を垂直方向に配置する。これにより、ＬＥＤ１１２から照射された光は、導光板１２ａと導光板１２ｂにほぼ均等に入射される。
【００８２】
これに対し、図１１（ｂ），（ｃ）に示すように、２列にＬＥＤを配置してもよい。この場合、第１列のＬＥＤ１１２ａは、導光板１２ａの入射面１２１ａと対向し、ＬＥＤ１１２ａの中心線の直上に入射面Ａの中心線が位置するよう配置される。
【００８３】
一方、第２列のＬＥＤ１１２ｂは、導光板１２ｂの入射面１２１ｂと対向し、ＬＥＤ１１２ｂの中心線の直上に入射面１２１ｂの中心線が位置するよう配置される。同図（ｂ）に示すように、第１列のＬＥＤ１１２ａと第２列のＬＥＤ１１２ｂとが水平方向に並んで配置されてもよいし、同図（ｃ）に示すように、第１列のＬＥＤ１１２ａと第２列のＬＥＤ１１２ｂとが千鳥格子状にジグザグに配置されてもよい。
【００８４】
同図（ｃ）の場合、上から数えて奇数番目のＬＥＤ１１２ｂは左側の導光板１２ｂに、偶数番目のＬＥＤ１１２ａは右側の導光板１２ａに、対向して配置される。
【００８５】
図１１（ｂ），（ｃ）の場合、第１列のＬＥＤ１１２ａから照射された光は右側の導光板１２ａへ最大効率で入射し、かつ、光の一部は左側の導光板１２ｂへも入射される。同様に、第２列のＬＥＤ１１２ｂから照射された光は左側の導光板１２ｂへ最大効率で入射し、かつ、光の一部は右側の導光板１２ａへも入射される。これにより、各導光板への入射効率を向上させることができる。
【００８６】
ＬＥＤ１１２を２列で配置する場合、導光板１２ａの入射面１２１ａと導光板１２ｂの入射面１２１ｂの隙間の直下にはＬＥＤが配置されない。よって、図１２に示すように、遮光パッキングを設けなくても、液晶パネル１に輝度ムラはほとんど生じない。
【００８７】
ここで、ＬＥＤ１１２を１列で配置する場合でも２列で配置する場合でも、コスト削減のためにＬＥＤ１１２の数を減らすことが考えられる。しかしながら、ＬＥＤ１１２のピッチが広くなると、導光板（第１の導光部１２ａ，第２の導光部１２ｂ）の入射面１２１ａ，１２１ｂに照射される光がスポット状になって輝度ムラが生じることがある。
【００８８】
そこで、図１３に示すようにプリズムシール１２７ａを用いてもよい。同図（ａ）は導光板１２ａとプリズムシール１２７ａの正面図であり、同図（ｂ）は入射面１２１ａ近辺とＬＥＤバー１１の拡大図である。図示のように入射面１２１ａにプリズムシール１２７ａを貼って、入射面１２１ａで光を拡散させることにより、輝度ムラを抑制できる。
【００８９】
また、ＬＥＤ１１２のピッチを広くする場合でも、液晶パネル１の中央は人間が注視するので、できるだけ明るく照射するのが望ましい。そこで、ＬＥＤ１１２を均等に配置するのではなく、図１４に示すように、液晶パネル１の中央の直下ではピッチを狭くして、密にＬＥＤ１１２を配置してもよい。
【００９０】
あるいは、均等に配置する場合でも、図１５に示すように、液晶パネル１の中央の直下には高出力のＬＥＤ１１２を用いてもよい。
【００９１】
また、図５では、入射面１２１ａ，１２１ｂが水平である例を示している。これに対し、図１６に示すように、全反射条件を満たす範囲で、入射面１２１ａ，１２１ｂに傾斜を持たせてもよい。
【００９２】
より具体的には、入射面１２１ａ，１２１ｂの液晶パネル１の中央に近い側ほど液晶パネル１に近く、液晶パネル１の縁に近いほど液晶パネル１から離れる方向へ傾斜している。これにより、ＬＥＤ１１２から照射される光の入射効率を向上させることができる。
【００９３】
またこの実施形態は、上述した実施形態および変形例を適宜組み合わせてもよい。本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９４】
例として下記のような態様が想到される。
【００９５】
（付記１）
光学制御部（１６）と、
前記光学制御部（１６）と対向して配置される光源（１１２）と、
前記光源（１１２）から照射される光を前記光学制御部（１６）へ導く第１および第２の導光部（１２ａ，１２ｂ）と、
前記光源（１１２）から照射される光の進行方向であって、前記第１の導光部（１２ａ）と前記第２の導光部（１２ｂ）が接合される接合部（１２７）近傍へ配置される第１の部材（１５）と、を備えるバックライト装置。
【００９６】
（付記２）
前記第１の導光部（１２ａ）は、光入射面から入射される光を前記光学制御部（１６）に沿ってその第１の縁（１６ａ）側へ屈折させる湾曲した形状であり、
前記第２の導光部（１２ｂ）は、光入射面から入射される光を前記光学制御部（１６）に沿って、前記第１の縁（１６ａ）と対向する第２の縁（１６ｂ）側へ屈折させる湾曲した形状である、付記１に記載のバックライト装置。
【００９７】
（付記３）
前記光源（１１２）は、前記第１の縁（１６ａ）と略平行な方向に配置される複数の光源（１１２）を含む、付記２に記載のバックライト装置。
【００９８】
（付記４）
前記複数の光源（１１２）は、前記光学制御部（１６）の中央に近い領域には、前記中央から離れた領域より密に配置される、付記３に記載のバックライト装置。
【００９９】
（付記５）
前記複数の光源（１１２）のうち、前記光学制御部（１６）の中央に近い領域に配置される光源（１１２）は、前記中央から離れた領域に配置される光源（１１２）より高光出力である、付記３に記載のバックライト装置。
【０１００】
（付記６）
前記複数の光源（１１２）は、前記第１の縁（１６ａ）と略平行な方向に一列に配置され、
前記複数の光源（１１２）から照射される光は、前記第１の導光部（１２ａ）と前記第２の導光部（１２ｂ）に、略均等に入射される、付記３に記載のバックライト装置。
【０１０１】
（付記７）
前記複数の光源（１１２）の一部は、前記第１の導光部（１２ａ）の光入射面（１２１ａ）と対向して、前記第１の縁（１６ａ）と略平行な方向に一列に配置され
前記複数の光源（１１２）の他の一部は、前記第２の導光部（１２ｂ）の光入射面（１２１ｂ）と対向して、前記第１の縁（１６ａ）と略平行な方向に一列に配置され、
前記第１の導光部（１２ａ）の光入射面（１２１ａ）に対向する光源（１１２）は、前記第２の導光部（１２ｂ）の光入射面（１２１ｂ）に対向する光源（１１２）に対して、千鳥格子状に配置される、付記３に記載のバックライト装置。
【０１０２】
（付記８）
前記第１の導光部（１２ａ）の光入射面（１２１ａ）は、前記第１の縁（１６ａ）と近いほど前記光学制御部（１６）から離れる方向へ傾斜しており、
前記第２の導光部（１２ｂ）の光入射面（１２１ｂ）は、前記第２の縁（１６ｂ）と近いほど前記光学制御部（１６）から離れる方向へ傾斜している、付記２に記載のバックライト装置。
【０１０３】
（付記９）
前記第１の部材（１５）は、前記光源（１１２）から照射された光が、前記第１の導光部（１２ａ）および前記第２の導光部（１２ｂ）を介さずに前記光学制御部（１６）に到達するのを抑制する、付記１に記載のバックライト装置。
【０１０４】
（付記１０）
前記第１の導光部（１２ａ）および前記第２の導光部（１２ｂ）の一部には、光を散乱させる散乱部（１２６ａ）が形成され、
前記第１の部材（１５）の表面は、前記散乱部（１２６ａ）と同色である、付記１に記載のバックライト装置。
【０１０５】
（付記１１）
前記光源（１１２）は、前記光学制御部（１６）の中央を含む領域と対向して配置される、付記１に記載のバックライト装置。
【０１０６】
（付記１２）
表示パネル（１）と、
前記表示パネル（１）に光を照射する付記１に記載のバックライト装置と、を有する表示装置。
【０１０７】
（付記１３）
放送波を受信してチューニングするチューナ（１４５，１５０）を有し、
前記表示パネル（１）は、前記チューニングされた放送波を表示する付記１３に記載の表示装置。
【０１０８】
（付記１４）
光学制御部（１６）と、
前記光学制御部（１６）と対向して配置される複数の第１の光源（１１２ａ）と、
前記複数の第１の光源（１１２ａ）から照射される光を前記光学制御部（１６）へ導く第１の導光部（１２ａ）と、
前記光学制御部（１６）と対向して配置される複数の第２の光源（１１２ｂ）と、
前記複数の第２の光源（１１２ｂ）から照射される光を前記光学制御部（１６）へ導く第２の導光部（１２ｂ）と、を備え、
前記複数の第１の光源（１１２ａ）および前記複数の第２の光源（１１２ｂ）は、前記光学制御部（１６）の中央に近い領域には、前記中央から離れた領域より密に配置される、バックライト装置。
【０１０９】
（付記１５）
前記第１の導光部（１２ａ）は、光入射面（１２１ａ）から入射される光を前記光学制御部（１６）に沿ってその第１の縁（１６ａ）側へ屈折させる湾曲した形状であり、
前記第２の導光部（１２ｂ）は、光入射面（１２１ｂ）から入射される光を前記光学制御部（１６）に沿って、前記第１の縁（１６ａ）と対向する第２の縁（１６ｂ）側へ屈折させる湾曲した形状である、付記１４に記載のバックライト装置。
【０１１０】
（付記１６）
前記第１の導光部（１２ａ）の光入射面（１２１ａ）は、前記第１の縁（１６ａ）と近いほど前記光学制御部（１６）から離れる方向へ傾斜しており、
前記第２の導光部（１２ｂ）の光入射面（１２１ｂ）は、前記第２の縁（１６ｂ）と近いほど前記光学制御部（１６）から離れる方向へ傾斜している、付記１５に記載のバックライト装置。
【０１１１】
（付記１７）
前記複数の第１の光源（１１２ａ）および前記複数の第２の光源（１１２ｂ）は、前記光学制御部（１６）の中央を含む領域と対向して配置される、付記１４に記載のバックライト装置。
【０１１２】
（付記１８）
表示パネル（１）と、
前記表示パネル（１）に光を照射する付記１４に記載のバックライト装置と、を有する表示装置。
【０１１３】
（付記１９）
放送波を受信してチューニングするチューナ（１４５，１５０）を有し、
前記表示パネルは、前記チューニングされた放送波を表示する付記１８に記載の表示装置。
【符号の説明】
【０１１４】
６  バックライト装置
１１  ＬＥＤバー
１１２，１１２ａ，１１２ｂ  ＬＥＤ
１２ａ，１２ｂ  導光板
１２１ａ，１２１ｂ  光入射面
１２２ａ，１２２ｂ  導光路
１２３ａ，１２３ｂ  光出射面
１２６  散乱マーク
１２７  接合部
１５  遮光パッキング
１６  光学シート
【図１】
2014022187.tif 000003
【図２】
2014022187.tif 000004
【図３】
2014022187.tif 000005
【図４】
2014022187.tif 000006
【図５】
2014022187.tif 000007
【図６】
2014022187.tif 000008
【図７】
2014022187.tif 000009
【図８】
2014022187.tif 000010
【図９】
2014022187.tif 000011
【図１０】
2014022187.tif 000012
【図１１】
2014022187.tif 000013
【図１２】
2014022187.tif 000014
【図１３】
2014022187.tif 000015
【図１４】
2014022187.tif 000016
【図１５】
2014022187.tif 000017
【図１６】
2014022187.tif 000018
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
光学制御部と、
前記光学制御部と対向して配置される光源と、
前記光源から照射される光を前記光学制御部へ導く第１および第２の導光部と、
前記光源から照射される光の進行方向であって、前記第１の導光部と前記第２の導光部が接合される接合部近傍へ配置される第１の部材と、を備えるバックライト装置。
【請求項２】
前記第１の導光部は、光入射面から入射される光を前記光学制御部に沿ってその第１の縁側へ屈折させる湾曲した形状であり、
前記第２の導光部は、光入射面から入射される光を前記光学制御部に沿って、前記第１の縁と対向する第２の縁側へ屈折させる湾曲した形状である、請求項１に記載のバックライト装置。
【請求項３】
前記光源は、前記第１の縁と略平行な方向に配置される複数の光源を含む、請求項２に記載のバックライト装置。
【請求項４】
前記複数の光源は、前記光学制御部の中央に近い領域には、前記中央から離れた領域より密に配置される、請求項３に記載のバックライト装置。
【請求項５】
前記複数の光源のうち、前記光学制御部の中央に近い領域に配置される光源は、前記中央から離れた領域に配置される光源より高光出力である、請求項３に記載のバックライト装置。
【請求項６】
前記複数の光源は、前記第１の縁と略平行な方向に一列に配置され、
前記複数の光源から照射される光は、前記第１の導光部と前記第２の導光部に、略均等に入射される、請求項３に記載のバックライト装置。
【請求項７】
前記複数の光源の一部は、前記第１の導光部の光入射面と対向して、前記第１の縁と略平行な方向に一列に配置され
前記複数の光源の他の一部は、前記第２の導光部の光入射面と対向して、前記第１の縁と略平行な方向に一列に配置され、
前記第１の導光部の光入射面に対向する光源は、前記第２の導光部の光入射面に対向する光源に対して、千鳥格子状に配置される、請求項３に記載のバックライト装置。
【請求項８】
前記第１の導光部の光入射面は、前記第１の縁と近いほど前記光学制御部から離れる方向へ傾斜し、
前記第２の導光部の光入射面は、前記第２の縁と近いほど前記光学制御部から離れる方向へ傾斜する、請求項２に記載のバックライト装置。
【請求項９】
前記第１の部材は、前記光源から照射された光が、前記第１の導光部および前記第２の導光部を介さずに前記光学制御部に到達することを低減する、請求項１に記載のバックライト装置。
【請求項１０】
前記第１の導光部および前記第２の導光部の一部には、光を散乱させる散乱部が形成され、
前記第１の部材の表面は、前記散乱部と同色である、請求項１に記載のバックライト装置。
【請求項１１】
前記光源は、前記光学制御部の中央を含む領域と対向して配置される、請求項１に記載のバックライト装置。
【請求項１２】
表示パネルと、
前記表示パネルに光を照射する請求項１に記載のバックライト装置と、を有する表示装置。
【請求項１３】
放送波を受信してチューニングするチューナを有し、
前記表示パネルは、前記チューニングされた放送波を表示する請求項１２に記載の表示装置。
【請求項１４】
光学制御部と、
前記光学制御部と対向して配置される複数の第１の光源と、
前記複数の第１の光源から照射される光を前記光学制御部へ導く第１の導光部と、
前記光学制御部と対向して配置される複数の第２の光源と、
前記複数の第２の光源から照射される光を前記光学制御部へ導く第２の導光部と、を備え、
前記複数の第１の光源および前記複数の第２の光源は、前記光学制御部の中央に近い領域には、前記中央から離れた領域より密に配置される、バックライト装置。
【請求項１５】
前記第１の導光部は、光入射面から入射される光を前記光学制御部に沿ってその第１の縁側へ屈折させる湾曲した形状であり、
前記第２の導光部は、光入射面から入射される光を前記光学制御部に沿って、前記第１の縁と対向する第２の縁側へ屈折させる湾曲した形状である、請求項１４に記載のバックライト装置。
【請求項１６】
前記第１の導光部の光入射面は、前記第１の縁と近いほど前記光学制御部から離れる方向へ傾斜し、
前記第２の導光部の光入射面は、前記第２の縁と近いほど前記光学制御部から離れる方向へ傾斜する、請求項１５に記載のバックライト装置。
【請求項１７】
前記複数の第１の光源および前記複数の第２の光源は、前記光学制御部の中央を含む領域と対向して配置される、請求項１４に記載のバックライト装置。
【請求項１８】
表示パネルと、
前記表示パネルに光を照射する請求項１４に記載のバックライト装置と、を有する表示装置。
【請求項１９】
放送波を受信してチューニングするチューナを有し、
前記表示パネルは、前記チューニングされた放送波を表示する請求項１８に記載の表示装置。
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
光学制御部と、
前記光学制御部と対向して配置される光源と、
前記光源から照射される光を前記光学制御部へ導く第１および第２の導光部と、
前記光源から照射される光の進行方向であって、前記第１の導光部と前記第２の導光部が接合される接合部近傍へ配置され、前記光源から照射された光が、前記第１の導光部および前記第２の導光部を介さずに前記光学制御部に到達することを低減する第１の部材と、を備えるバックライト装置。
【請求項２】
光学制御部と、
前記光学制御部と対向して配置される光源と、
前記光源から照射される光を前記光学制御部へ導く第１および第２の導光部と、
前記光源から照射される光の進行方向であって、前記第１の導光部と前記第２の導光部が接合される接合部近傍へ配置され、前記光源から照射された光が、直接、前記光学制御部に到達することを低減する第１の部材と、を備えるバックライト装置。
【請求項３】
前記第１の導光部は、光入射面から入射される光を前記光学制御部に沿ってその第１の縁側へ屈折させる湾曲した形状であり、
前記第２の導光部は、光入射面から入射される光を前記光学制御部に沿って、前記第１の縁と対向する第２の縁側へ屈折させる湾曲した形状である、請求項１または２に記載のバックライト装置。
【請求項４】
前記光源は、前記第１の縁と略平行な方向に配置される複数の光源を含む、請求項３に記載のバックライト装置。
【請求項５】
前記複数の光源は、前記光学制御部の中央に近い領域には、前記中央から離れた領域より密に配置される、請求項４に記載のバックライト装置。
【請求項６】
前記複数の光源のうち、前記光学制御部の中央に近い領域に配置される光源は、前記中央から離れた領域に配置される光源より高光出力である、請求項４に記載のバックライト装置。
【請求項７】
前記複数の光源は、前記第１の縁と略平行な方向に一列に配置され、
前記複数の光源から照射される光は、前記第１の導光部と前記第２の導光部に、略均等に入射される、請求項４に記載のバックライト装置。
【請求項８】
前記複数の光源の一部は、前記第１の導光部の光入射面と対向して、前記第１の縁と略平行な方向に一列に配置され
前記複数の光源の他の一部は、前記第２の導光部の光入射面と対向して、前記第１の縁と略平行な方向に一列に配置され、
前記第１の導光部の光入射面に対向する光源は、前記第２の導光部の光入射面に対向する光源に対して、千鳥格子状に配置される、請求項４に記載のバックライト装置。
【請求項９】
前記第１の導光部の光入射面は、前記第１の縁と近いほど前記光学制御部から離れる方向へ傾斜し、
前記第２の導光部の光入射面は、前記第２の縁と近いほど前記光学制御部から離れる方向へ傾斜する、請求項３に記載のバックライト装置。
【請求項１０】
前記第１の導光部および前記第２の導光部の一部には、光を散乱させる散乱部が形成され、
前記第１の部材の表面は、前記散乱部と同色である、請求項１または２に記載のバックライト装置。
【請求項１１】
前記光源は、前記光学制御部の中央を含む領域と対向して配置される、請求項１または２に記載のバックライト装置。
【請求項１２】
表示パネルと、
前記表示パネルに光を照射する請求項１または２に記載のバックライト装置と、を有する表示装置。
【請求項１３】
放送波を受信してチューニングするチューナを有し、
前記表示パネルは、前記チューニングされた放送波を表示する請求項１２に記載の表示装置。